(57)【特許請求の範囲】
【請求項１】
移動体の位置を検出する位置検出手段と、
誘導経路上の案内地点を検出する地点検出手段と、
前記移動体の位置と前記案内地点との距離を算出する算出手段と、
前記移動体に搭載されている音声出力装置の出力音量を制御する制御手段と、
を備え、
前記制御手段は、
前記移動体が前記案内地点に近づいたときに前記音声出力装置の出力音量を低減させるとともに、当該移動体が当該案内地点を通過した際の移動体の位置と次に通過すべき案内地点との距離がしきい値未満である場合に、前記次に通過すべき案内地点を通過するまで前記音声出力装置の出力音量の低減を継続させ、当該出力音量の低減中において、所定時間あたりの前記移動体の走行距離が一定値未満である場合に、前記音声出力装置の出力音量を復帰させることを特徴とする音量制御装置。
【請求項２】
移動体の位置を検出する位置検出手段と、
誘導経路上の案内地点を検出する地点検出手段と、
案内地点間の距離を算出する算出手段と、
前記移動体に搭載されている音声出力装置の出力音量を制御する制御手段と、
を備え、
前記制御手段は、
前記移動体が前記案内地点に近づいたときに前記音声出力装置の出力音量を低減させるとともに、当該移動体が当該案内地点を通過した際に、当該通過した案内地点と次に通過すべき案内地点との距離がしきい値未満である場合に、前記音声出力装置の出力音量の低減を継続させ、当該出力音量の低減中において、所定時間あたりの前記移動体の走行距離が一定値未満である場合に、前記音声出力装置の出力音量を復帰させることを特徴とする音量制御装置。
【請求項３】
移動体に搭載されている音声出力装置の出力音量を制御する音量制御方法であって、
前記移動体が誘導経路上の案内地点に近づいたときに前記音声出力装置の出力音量を低減させる第１工程と、
前記移動体が前記案内地点を通過した際の前記移動体の位置と次に通過すべき案内地点との距離を算出する第２工程と、
前記第１工程による前記出力音量の低減中に、前記第２工程によって算出された距離がしきい値未満である場合に、前記次に通過すべき案内地点を通過するまで前記音声出力装置の出力音量の低減を継続し、当該出力音量の低減中において、所定時間あたりの前記移動体の走行距離が一定値未満である場合に、前記音声出力装置の出力音量を復帰する第３工程と、
を含むことを特徴とする音量制御方法。
【請求項４】
移動体に搭載されている音声出力装置の出力音量を制御する音量制御方法であって、
前記移動体が誘導経路上の案内地点に近づいたときに前記音声出力装置の出力音量を低減させる第１工程と、
前記移動体が前記案内地点を通過した際に、当該通過した案内地点と次に通過すべき案内地点との距離を算出する第２工程と、
前記第１工程による前記出力音量の低減中に、前記第２工程によって算出された距離がしきい値未満である場合に、前記音声出力装置の出力音量の低減を継続し、当該出力音量の低減中において、所定時間あたりの前記移動体の走行距離が一定値未満である場合に、前記音声出力装置の出力音量を復帰する第３工程と、
を含むことを特徴とする音量制御方法。
【請求項５】
請求項３または４に記載の音量制御方法をコンピュータに実行させることを特徴とする音量制御プログラム。
【請求項６】
請求項５に記載の音量制御プログラムを記録したコンピュータに読み取り可能な記録媒体。
【発明の詳細な説明】
【技術分野】
【０００１】
この発明は、音量を制御する音量制御装置、音量制御方法、音量制御プログラムおよびコンピュータに読み取り可能な記録媒体に関する。
【背景技術】
【０００２】
従来、車両を出発地点から目的地点まで誘導する装置として、車両に搭載されたナビゲーション装置がある（以下、車載ナビゲーション装置とする。）。車載ナビゲーション装置は、出発地点から目的地点までの誘導経路に関する情報を表示したり、誘導経路上の交差点や踏切などの案内地点に対応した所定の地点で、案内音などの音声を出力して、車両の誘導をおこなう。一方、車両内部では、車載ナビゲーション装置あるいは別個に車両に搭載されたオーディオ装置（以下、車載オーディオ装置とする。）の機能により、上述の案内音のみならず、テレビやラジオ放送の音声や、ＣＤやＤＶＤなどコンテンツの音声などが出力されている。
【０００３】
近年、経路誘導に関する案内音の出力に際して、テレビやラジオ放送の音声、ＣＤやＤＶＤなどコンテンツの音声など、案内音以外の音声が案内音と重複してしまう場合に、案内音以外の音声をミュート制御する。そして、案内音を車両の運転者などに適切に聞き取れるようにして、経路誘導をおこなうナビゲーション装置が提案されている（たとえば、下記特許文献１参照。）。
【先行技術文献】
【特許文献】
【０００４】
【特許文献１】特開２０００−６５５９０号公報
【発明の概要】
【発明が解決しようとする課題】
【０００５】
しかしながら、上記従来技術では、経路誘導に関する案内音を出力する地点が連続して存在する場合は、案内音以外の音声のミュートと出力を頻繁に繰り返すこととなり、運転者に不快感を与える要因となるという問題が一例として挙げられる。また、案内音を連続して出力する地点は、一般的に運転者にとって、周囲の確認など、特に注意喚起する地点であるため、案内音以外の音声の出力は、運転者への注意喚起の妨げになるという問題が一例として挙げられる。
【課題を解決するための手段】
【０００６】
上述した課題を解決し、目的を達成するため、請求項１の発明にかかる音量制御装置は、移動体の位置を検出する位置検出手段と、誘導経路上の案内地点を検出する地点検出手段と、前記移動体の位置と前記案内地点との距離を算出する算出手段と、前記移動体に搭載されている音声出力装置の出力音量を制御する制御手段と、を備え、前記制御手段は、前記移動体が前記案内地点に近づいたときに前記音声出力装置の出力音量を低減させるとともに、当該移動体が当該案内地点を通過した際の移動体の位置と次に通過すべき案内地点との距離がしきい値未満である場合に、前記次に通過すべき案内地点を通過するまで前記音声出力装置の出力音量の低減を継続させ、当該出力音量の低減中において、所定時間あたりの前記移動体の走行距離が一定値未満である場合に、前記音声出力装置の出力音量を復帰させることを特徴とする。
【０００７】
また、請求項２にかかる音量制御装置は、移動体の位置を検出する位置検出手段と、誘導経路上の案内地点を検出する地点検出手段と、案内地点間の距離を算出する算出手段と、前記移動体に搭載されている音声出力装置の出力音量を制御する制御手段と、を備え、前記制御手段は、前記移動体が前記案内地点に近づいたときに前記音声出力装置の出力音量を低減させるとともに、当該移動体が当該案内地点を通過した際に、当該通過した案内地点と次に通過すべき案内地点との距離がしきい値未満である場合に、前記音声出力装置の出力音量の低減を継続させ、当該出力音量の低減中において、所定時間あたりの前記移動体の走行距離が一定値未満である場合に、前記音声出力装置の出力音量を復帰させることを特徴とする。
【０００８】
また、請求項３の発明にかかる音量制御方法は、移動体に搭載されている音声出力装置の出力音量を制御する音量制御方法であって、前記移動体が誘導経路上の案内地点に近づいたときに前記音声出力装置の出力音量を低減させる第１工程と、前記移動体が前記案内地点を通過した際の前記移動体の位置と次に通過すべき案内地点との距離を算出する第２工程と、前記第１工程による前記出力音量の低減中に、前記第２工程によって算出された距離がしきい値未満である場合に、前記次に通過すべき案内地点を通過するまで前記音声出力装置の出力音量の低減を継続し、当該出力音量の低減中において、所定時間あたりの前記移動体の走行距離が一定値未満である場合に、前記音声出力装置の出力音量を復帰する第３工程と、を含むことを特徴とする。
【０００９】
また、請求項４の発明にかかる音量制御方法は、移動体に搭載されている音声出力装置の出力音量を制御する音量制御方法であって、前記移動体が誘導経路上の案内地点に近づいたときに前記音声出力装置の出力音量を低減させる第１工程と、前記移動体が前記案内地点を通過した際に、当該通過した案内地点と次に通過すべき案内地点との距離を算出する第２工程と、前記第１工程による前記出力音量の低減中に、前記第２工程によって算出された距離がしきい値未満である場合に、前記音声出力装置の出力音量の低減を継続し、当該出力音量の低減中において、所定時間あたりの前記移動体の走行距離が一定値未満である場合に、前記音声出力装置の出力音量を復帰する第３工程と、を含むことを特徴とする。
【００１０】
また、請求項５の発明にかかる音量制御プログラムは、請求項３または４に記載の音量制御方法をコンピュータに実行させることを特徴とする。
【００１１】
また、請求項６の発明にかかるコンピュータに読み取り可能な記録媒体は、請求項５に記載の音量制御プログラムを記録したことを特徴とする。
【図面の簡単な説明】
【００１２】
【図１】本実施の形態にかかる音量制御装置の機能的構成の一例を示すブロック図である。
【図２】本実施の形態にかかる音量制御装置の処理の内容を示すフローチャートである。
【図３】本実施例にかかるナビゲーション装置のハードウェア構成の一例を示すブロック図である。
【図４−１】本実施例にかかる車両の誘導経路上における出力音量の制御の一例を示す説明図である。
【図４−２】本実施例にかかる複数の連続した案内地点を含む、車両の誘導経路上における出力音量の制御の一例を示す説明図である。
【図５】本実施例にかかるナビゲーション装置の処理の内容を示すフローチャートである。
【図６】本実施例にかかる出力音量のフェードアウト処理の一例を示すフローチャートである。
【図７】本実施例にかかる出力音量のフェードイン処理の一例を示すフローチャートである。
【図８】本実施例にかかる出力音量のフェードイン／アウト処理の一例を示すフローチャートである。
【発明を実施するための形態】
【００１３】
以下に添付図面を参照して、この発明にかかる音量制御装置、音量制御方法、音量制御プログラムおよびコンピュータに読み取り可能な記録媒体の好適な実施の形態を詳細に説明する。
【００１４】
（実施の形態）
（音量制御装置の機能的構成）
図１を用いて、本実施の形態にかかる音量制御装置の機能的構成について説明する。図１は、本実施の形態にかかる音量制御装置の機能的構成の一例を示すブロック図である。
【００１５】
図１において、本実施の形態にかかる音量制御装置１００は、位置検出部１０１と、地点検出部１０２と、距離算出部１０３と、出力音量制御部１０４と、を含み構成されている。
【００１６】
位置検出部１０１は、移動体の位置を検出する。移動体の位置は、たとえば、本実施の形態にかかる音量制御装置１００を搭載した移動体の位置である。位置の検出は、たとえば、ＧＰＳ（Ｇｌｏｂａｌ  Ｐｏｓｉｔｉｏｎｉｎｇ  Ｓｙｓｔｅｍ）衛星からの電波を受信し、ＧＰＳ衛星と移動体との幾何学的位置を求めて検出する。
【００１７】
地点検出部１０２は、移動体の誘導経路上における案内地点を検出する。案内地点は、たとえば、移動体の誘導経路上で、案内の起点となる地点であり、交差点や踏切や施設などでもよい。
【００１８】
距離算出部１０３は、位置検出部１０１によって検出された移動体の位置と、地点検出部１０２によって検出された案内地点に基づいて、案内地点と移動体との距離を算出する。案内地点と移動体との距離の算出は、たとえば、案内地点と移動体の位置の座標から算出してもよく、常に更新する構成としてもよい。また、所定時間ごとに移動体の位置を検出して、所定時間における移動体の移動距離を算出してもよい。また、距離算出部１０３は、案内地点間の距離を算出する構成としてもよい。
【００１９】
出力音量制御部１０４は、距離算出部１０３によって算出された案内地点と移動体との距離に基づいて、移動体が案内地点に近づいた場合、図示しない音声出力装置の出力音量を低減させる。さらに、移動体が案内地点を通過した際の移動体の位置と、次に移動体が通過すべき案内地点との距離がしきい値未満である場合に、次に通過すべき案内地点を移動体が通過するまで音声出力装置の出力音量の低減を継続させる。また、移動体が案内地点を通過した際に、通過した案内地点と、次に移動体が通過すべき案内地点との距離がしきい値未満である場合に、音声出力装置の出力音量の低減を継続させてもよい。また、出力音量の制御は、案内地点に対する案内音を出力する地点において、案内音以外の音声の出力音量を低減させる構成としてもよい。
【００２０】
また、距離算出部１０３によって算出された、所定時間における移動体の移動距離を一定値と比較して、一定値未満だった場合には、音量の低減を継続せずに、出力音量を復帰させてもよい。
【００２１】
（音量制御装置１００の処理の内容）
つぎに、図２を用いて、本実施の形態にかかる音量制御装置１００の処理の内容について説明する。図２は、本実施の形態にかかる音量制御装置の処理の内容を示すフローチャートである。なお、本実施の形態において、移動体には出発地点から目的地点まで誘導する経路である誘導経路を設定してナビゲーション処理を行うナビゲーション装置が搭載されており、音量制御装置１００は当該ナビゲーション装置と接続されていて情報の授受が可能であるものとする。図２のフローチャートにおいて、まず、音量制御装置１００は、ナビゲーション装置に誘導経路が設定されているか否かを判断する（ステップＳ２０１）。
【００２２】
ステップＳ２０１において、音量制御装置１００は、ナビゲーション装置に誘導経路が設定されていない場合（ステップＳ２０１：Ｎｏ）には誘導経路が設定されるのを待ち、誘導経路が設定されている場合（ステップＳ２０１：Ｙｅｓ）には、つづいて位置検出部１０１は、移動体の位置を検出する（ステップＳ２０２）。なお、位置検出部１０１はナビゲーション装置が保有する移動体の位置情報を取得して位置を検出してもよい。あわせて、地点検出部１０２は、ナビゲーション装置から誘導経路の情報を取得し、移動体の誘導経路上における案内地点を検出する（ステップＳ２０３）。案内地点の検出は、たとえば、交差点や踏切や施設など案内の起点となる地点を検出するもので、案内地点の手前を移動体が通過すると、案内音を出力して経路を誘導する構成でもよい。
【００２３】
つぎに、距離算出部１０３は、ステップＳ２０２において検出した移動体の位置と、ステップＳ２０３において検出した案内地点に基づいて、案内地点と移動体との距離を算出し、移動体が案内地点に接近したか否かを判断する（ステップＳ２０４）。案内地点と移動体との距離の算出は、たとえば、案内地点の座標と移動体の位置の座標から算出してもよく、常に更新する構成としてもよい。
【００２４】
そして、移動体が案内地点に接近するのを待って、接近した場合（ステップＳ２０４：Ｙｅｓ）には、出力音量制御部１０４は、音声出力装置の出力音量を低減させ（ステップＳ２０５）、つづいて、音量制御装置１００は、移動体が案内地点を通過したか否かを判断する（ステップＳ２０６）。ここで、移動体が案内地点を通過するのを待って、通過した場合（ステップＳ２０６：Ｙｅｓ）には、距離算出部１０３は、移動体とつぎに通過すべき案内地点との距離を算出する（ステップＳ２０７）。なお、本フローチャートでは、ステップＳ２０７において、移動体と、移動体がつぎに通過すべき案内地点との距離を算出しているが、移動体が通過した案内地点と、つぎに通過すべき案内地点との距離を算出する構成としてもよい。
【００２５】
そして、ステップＳ２０７において算出された距離と、所定のしきい値とを比較して、音量制御装置１００は、算出された距離がしきい値以上か否かを判断する（ステップＳ２０８）。ステップＳ２０８において、距離がしきい値未満である場合（ステップＳ２０８：Ｎｏ）には、そのまま出力音量の低減を継続し、ステップＳ２０６へ戻って処理を繰り返す。また、距離がしきい値以上である場合（ステップＳ２０８：Ｙｅｓ）には、出力音量制御部１０４は、図示しない音声出力装置の出力音量を復帰させて（ステップＳ２０９）、一連の処理を終了する。
【００２６】
なお、本フローチャートでは、案内地点と移動体との距離を算出しているが、所定時間ごとに移動体の位置を検出して、所定時間における移動体の移動距離を算出してもよい。そして、出力音量制御部１０４は、所定時間における移動体の移動距離が一定値未満だった場合には、出力音量の低減を継続せずに、出力音量を復帰させるように制御してもよい。また、出力音量制御部１０４は、所定時間における移動体の移動距離が一定値未満から一定値以上に変化した場合には、再度出力音量を低減させるようにしてもよい。
【００２７】
以上説明したように、本実施の形態によれば、誘導経路上における案内地点と移動体との距離を算出して、音声出力装置の出力音量を低減させることができる。したがって、誘導経路上に案内地点が連続している場合は、出力音量の低減と復帰を繰り返すことなく、案内音を出力するため、頻繁な音量変化による不快の防止を図ることができる。
【００２８】
また、連続した案内地点で出力音量の低減を継続して案内音を出力するため、ユーザへ適切な注意喚起を促すことができ、安全な走行を図ることができる。また、移動体の移動距離を一定値と比較して、低減させた出力音量を復帰させるように制御できるため、案内地点が連続していても、移動に時間がかかる場合は、ユーザは、音声を視聴することができ、適切な音量制御を図ることができる。
【実施例】
【００２９】
以下に、本発明の実施例について説明する。本実施例では、たとえば、車両（四輪車、二輪車を含む）などの移動体に搭載されるナビゲーション装置によって、本発明の音量制御装置を実施した場合の一例について説明する。
【００３０】
（ナビゲーション装置のハードウェア構成）
図３を用いて、本実施例にかかるナビゲーション装置のハードウェア構成について説明する。図３は、本実施例にかかるナビゲーション装置のハードウェア構成の一例を示すブロック図である。
【００３１】
図３において、ナビゲーション装置３００は、車両などの移動体に搭載されており、制御部３０１と、ユーザ操作部３０２と、表示部３０３と、位置取得部３０４と、記録媒体３０５と、記録媒体デコード部３０６と、音声出力部３０７と、通信部３０８と、経路探索部３０９と、経路誘導部３１０と、音声生成部３１１と、スピーカ３１２と、距離算出部３１３と、によって構成される。
【００３２】
制御部３０１は、ナビゲーション装置３００全体を制御する。制御部３０１は、たとえば所定の演算処理を実行するＣＰＵ（Ｃｅｎｔｒａｌ  Ｐｒｏｃｅｓｓｉｎｇ  Ｕｎｉｔ）や、各種制御プログラムを格納するＲＯＭ（Ｒｅａｄ  Ｏｎｌｙ  Ｍｅｍｏｒｙ）、および、ＣＰＵのワークエリアとして機能するＲＡＭ（Ｒａｎｄｏｍ  Ａｃｃｅｓｓ  Ｍｅｍｏｒｙ）などによって構成されるマイクロコンピュータなどによって実現することができる。
【００３３】
制御部３０１は、経路誘導に際し、位置取得部３０４によって取得された現在位置に関する情報と、記録媒体３０５から記録媒体デコード部３０６を経由して得られた地図情報に基づいて、地図上のどの位置を走行しているかを算出し、算出結果を表示部３０３へ出力する。また、制御部３０１は、経路誘導に際し、経路探索部３０９、経路誘導部３１０、音声生成部３１１との間で経路誘導に関する情報の入出力をおこない、その結果得られる情報を表示部３０３および音声出力部３０７へ出力する。
【００３４】
また、制御部３０１は、距離算出部３１３により算出された、案内地点と車両との距離を所定の距離と比較し、音声出力部３０７から出力される、案内音の音声と、テレビやラジオ放送の音声およびＣＤやＤＶＤなどコンテンツの音声など案内音以外の音声の出力音量を制御する。出力音量の制御は、たとえば、案内地点と車両との距離が所定の距離未満だった場合は、案内地点に対応する案内音の出力地点に接近しているものとして、テレビやラジオ放送の音声、ＣＤやＤＶＤなどコンテンツの音声など案内音以外の音声の出力音量を、あらかじめユーザにより設定されている設定音量からミュートする。
【００３５】
また、制御部３０１は、距離算出部３１３により算出された、所定の間隔における車両の移動距離を所定のしきい値と比較して、音声出力部３０７から出力される、案内音の音声や、テレビやラジオ放送の音声、ＣＤやＤＶＤなどコンテンツの音声など案内音以外の音声の出力音量を制御してもよい。具体的には、車両の移動距離が、所定のしきい値未満だった場合は、案内地点までの距離は所定の距離未満であっても、渋滞などの理由により、移動に十分な時間が必要な経路としてミュートを継続せずに、ミュートした音声をミュート前の出力音量まで復帰させてもよい。
【００３６】
なお、出力音量の制御は、設定音量からミュートさせる場合、徐々に出力音量を減衰（フェードアウト）させる制御でもよく、また、ミュートから設定音量とする場合、徐々に出力音量を増大（フェードイン）させる制御でもよい。また、本実施例では、案内音以外の音声をミュートする構成としているが、案内音の妨げにならない程度の所定の音量レベルに減衰させる構成でもよい。
【００３７】
ユーザ操作部３０２は、ユーザがリモコンやスイッチ、タッチパネルなどの操作手段を操作して入力した情報を取得して制御部３０１に対して出力する。
【００３８】
表示部３０３は、たとえば、ＣＲＴ（Ｃａｔｈｏｄｅ  Ｒａｙ  Ｔｕｂｅ）、ＴＦＴ液晶ディスプレイ、有機ＥＬディスプレイ、プラズマディスプレイなどを含む。表示部３０３は、具体的には、たとえば、映像Ｉ／Ｆ（インターフェース）や映像Ｉ／Ｆに接続された映像表示用のディスプレイ装置によって構成することができる。映像Ｉ／Ｆは、具体的には、たとえば、ディスプレイ装置全体の制御をおこなうグラフィックコントローラと、即時表示可能な画像情報を一時的に記憶するＶＲＡＭ（Ｖｉｄｅｏ  ＲＡＭ）などのバッファメモリと、グラフィックコントローラから出力される画像情報に基づいて、ディスプレイ装置を表示制御する制御ＩＣなどによって構成される。そして、表示部３０３は、制御部３０１の出力に関する制御にしたがい、交通情報や地図情報や経路誘導に関する情報や制御部３０１から出力される映像に関するコンテンツ、その他各種情報を表示する。
【００３９】
位置取得部３０４は、ＧＰＳレシーバおよび車速センサーや角速度センサーや加速度センサーなどの各種センサーから構成され、移動体の現在位置（ナビゲーション装置３００の現在位置）の情報を取得する。ＧＰＳレシーバは、ＧＰＳ衛星からの電波を受信し、ＧＰＳ衛星との幾何学的位置を求める。なお、ＧＰＳとは、Ｇｌｏｂａｌ  Ｐｏｓｉｔｉｏｎｉｎｇ  Ｓｙｓｔｅｍの略称であり、４つ以上の衛星からの電波を受信することによって地上での位置を正確に求めるシステムである。ＧＰＳレシーバは、ＧＰＳ衛星からの電波を受信するためのアンテナ、受信した電波を復調するチューナーおよび復調した情報に基づいて現在位置を算出する演算回路などによって構成される。
【００４０】
記録媒体３０５には、各種制御プログラムや各種情報がコンピュータに読み取り可能な状態で記録されている。この記録媒体３０５は、たとえば、ＨＤ（Ｈａｒｄ  Ｄｉｓｋ）やＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、メモリカードによって実現することができる。なお、記録媒体３０５は、記録媒体デコード部３０６による情報の書き込みを受け付けるとともに、書き込まれた情報を不揮発に記録するようにしてもよい。
【００４１】
また、記録媒体３０５には、経路探索および経路誘導に用いられる地図情報が記録されている。記録媒体３０５に記録されている地図情報は、建物、河川、地表面などの地物（フィーチャ）をあらわす背景データと、道路の形状をあらわす道路形状データとを有しており、表示部３０３の表示画面において２次元または３次元に描画される。ナビゲーション装置３００が経路誘導中の場合は、記録媒体デコード部３０６によって記録媒体３０５から読み取られた地図情報と位置取得部３０４によって取得された移動体の位置を示すマークとが表示部３０３に表示されることとなる。
【００４２】
また、記録媒体３０５には、映像や音楽などのコンテンツが記録されており、映像や音楽などのコンテンツの音声情報は、音声出力部３０７を介して、スピーカ３１２から出力される。
【００４３】
なお、本実施例では地図情報やコンテンツなどを記録媒体３０５に記録するようにしたが、これに限るものではない。地図情報やコンテンツなどは、ナビゲーション装置３００外部のサーバなどに記録されていてもよい。その場合、ナビゲーション装置３００は、たとえば、通信部３０８を通じて、ネットワークを介してサーバから地図情報やコンテンツを取得する。取得された情報はＲＡＭなどに記憶される。
【００４４】
記録媒体デコード部３０６は、記録媒体３０５に対する情報の読み取り／書き込みの制御をおこなう。たとえば、記録媒体３０５としてＨＤを用いた場合には、記録媒体デコード部３０６は、ＨＤＤ（Ｈａｒｄ  Ｄｉｓｋ  Ｄｒｉｖｅ）となる。
【００４５】
音声出力部３０７は、接続されたスピーカ３１２への出力を制御することによって、案内音や映像や音楽などの音声を出力する。スピーカ３１２は、１つであってもよいし、複数であってもよい。この音声出力部３０７は、たとえば、音声デジタル情報のＤ／Ａ変換をおこなうＤ／Ａコンバータと、Ｄ／Ａコンバータから出力される音声アナログ信号を増幅する増幅器と、音声アナログ信号のＡ／Ｄ変換をおこなうＡ／Ｄコンバータと、から構成することができる。
【００４６】
通信部３０８は、各種情報を外部から取得する。たとえば、通信部３０８は、ＦＭ多重チューナー、ＶＩＣＳ（登録商標）／ビーコンレシーバ、無線通信機器およびその他の通信機器や、携帯電話、ＰＨＳ、通信カードおよび無線ＬＡＮなどの通信媒体を介して他の通信機器との通信をおこなう。あるいは、ラジオ放送による電波やテレビ放送による電波や衛星放送により通信をおこなうことのできる機器などでもよい。
【００４７】
通信部３０８によって取得される情報は、道路交通情報通信システムセンターから配信される渋滞や交通規制などの交通情報や、事業者が独自の方式で取得した交通情報や、その他インターネット上の公開データおよびコンテンツなどである。通信部３０８は、たとえば、全国の交通情報やコンテンツを蓄積しているサーバに対しネットワークを介して、交通情報あるいはコンテンツを要求し、要求した情報を取得するようにしてもよい。また、ラジオ放送による電波テレビ放送などの電波や衛星放送などから、映像あるいは音声に関する信号を受信する構成でもよい。
【００４８】
経路探索部３０９は、記録媒体３０５から記録媒体デコード部３０６を介して取得される地図情報や、通信部３０８を介して取得される交通情報などを利用して、出発地点から目的地点までの最適経路を探索する。ここで、最適経路とは、ユーザの要望に最も合致する経路である。
【００４９】
経路誘導部３１０は、経路探索部３０９によって探索された最適経路情報、位置取得部３０４によって取得された移動体の位置情報、記録媒体３０５から記録媒体デコード部３０６を経由して得られた地図情報に基づいて、ユーザを目的地点まで誘導するための経路誘導情報の生成をおこなう。このとき生成される経路誘導情報は、通信部３０８によって受信した渋滞情報を考慮したものであってもよい。また、経路誘導情報は、誘導経路上で、案内の起点となる交差点や踏切や施設などの案内地点や、案内地点に対応する案内音を出力する地点の情報を含む構成でもよい。そして、経路誘導部３１０で生成された経路誘導情報は、制御部３０１を介して表示部３０３へ出力される。
【００５０】
音声生成部３１１は、案内音などの各種音声の情報を生成する。すなわち、経路誘導部３１０で生成された経路誘導情報に基づいて、案内地点に対応した仮想音源の設定と音声ガイダンス情報の生成をおこない、これを制御部３０１を介して音声出力部３０７へ出力する。
【００５１】
距離算出部３１３は、位置取得部３０４によって取得された車両の現在位置（ナビゲーション装置３００の現在位置）の情報と、経路誘導部３１０によって生成された案内地点を含む経路誘導情報に基づいて、誘導経路上における案内地点と車両との距離を算出する。また、距離算出部３１３は、位置取得部３０４によって取得された車両の現在位置の情報に基づいて、所定の間隔における車両の移動距離を算出する。そして、算出した案内地点と車両との距離あるいは車両の移動距離を制御部３０１に出力する。
【００５２】
なお、実施の形態にかかる音量制御装置１００の機能的構成である位置情報取得部１０１は位置取得部３０４によって、案内地点検出部１０２は経路探索部３０９および経路誘導部３１０によって、距離算出部１０３は距離算出部３１３によって、出力音量制御部１０４は制御部３０１によって、それぞれその機能を実現する。
【００５３】
（誘導経路上における出力音量の制御に関する説明）
つぎに、図４−１および図４−２を用いて、本実施例にかかる車両の誘導経路上における出力音量の制御について説明する。図４−１は、本実施例にかかる車両の誘導経路上における出力音量の制御の一例を示す説明図である。
【００５４】
図４−１において、車両４００は、出発地点４０１から目的地点４０２まで誘導経路４０５に沿って走行する。本図において、誘導経路４０５は案内地点４０３を介している。また、案内地点４０３に対応する案内音を出力する案内音出力地点４０４では、たとえば、車両４００内に「この先の交差点、右方向です」という案内音が出力される。
【００５５】
また、テレビやラジオ放送の音声およびＣＤやＤＶＤなどコンテンツの音声など案内音以外の音声の出力音量は、誘導経路４０５上において、あらかじめユーザによって設定された設定音量区間４１１と、フェードアウト区間４１２と、ミュート区間４１３と、フェードイン区間４１４と、を有している。
【００５６】
設定音量区間４１１は、車両４００が案内地点４０３に対して、所定の距離（Ｄ１（ｍ））以内に近づくまでの区間と、Ｄ１（ｍ）以上離れる区間である。Ｄ１（ｍ）は、案内地点４０３から十分離れており、案内音以外の音声の出力音量は、あらかじめユーザによって設定された設定音量である。
【００５７】
フェードアウト区間４１２は、案内音以外の音声の出力音量をフェードアウトさせる区間で、車両４００が案内地点４０３に対して、Ｄ１（ｍ）以内となり、かつ、案内地点４０３に対して、所定の距離Ｄ２（ｍ）以内に近づくまでの区間である。Ｄ１とＤ２はそれぞれあらかじめ設定できる距離で、Ｄ１＞Ｄ２の関係であり、車両４００が案内地点４０３までＤ１（ｍ）となると、ナビゲーション装置３００は、案内音以外の音声の出力音量をフェードアウトさせる。
【００５８】
ミュート区間４１３は、案内音以外の音声の出力音量をミュートさせる区間で、案内地点４０３からＤ２（ｍ）以内の区間である。なお、本図の説明では、案内地点４０３に近づく側と遠ざかる側について、車両４００と案内地点４０３の距離がＤ２（ｍ）である区間において、ナビゲーション装置３００は、案内音以外の音声の出力音量をミュートさせる。案内地点４０３に近づく側と遠ざかる側についての距離は、双方ともＤ２（ｍ）である必要はない。たとえば、案内地点４０３に近づく側の距離は、案内地点４０３に対応した案内音出力地点４０４における案内音出力時に、案内音以外の音声がミュートとなるように設定してもよい。また、案内地点４０３から遠ざかる側の距離は、車両４００が案内地点４０３通過後、周囲の安全が確認できる程度の距離として、速やかにミュートから復帰するように設定してもよい。
【００５９】
フェードイン区間４１４は、案内音以外の音声の出力音量をフェードインさせる区間で、車両４００が案内地点４０３に対して、Ｄ２（ｍ）以上となり、かつ、案内地点４０３に対して、Ｄ１（ｍ）以内までの区間である。フェードイン区間４１４では、車両４００がミュート区間４１３を通過して、案内地点４０３からＤ２（ｍ）以上離れると、ナビゲーション装置３００は、案内音以外の音声の出力音量をフェードインさせて、ミュートから復帰させる。なお、Ｄ２（ｍ）とＤ１（ｍ）の間のＤ３（ｍ）は、案内地点４０３の連続を判断する距離で、詳細は図４−２に後述する。
【００６０】
図４−２は、本実施例にかかる複数の連続した案内地点を含む、車両の誘導経路上における出力音量の制御の一例を示す説明図である。図４−２において、図４−１と同じ符号を附したものは、ほぼ同様の構成であるため、以降は図４−１における説明と相違する部分について説明する。
【００６１】
図４−２において、誘導経路４０５は複数の連続した案内地点４０３を介している。連続した案内地点４０３は、たとえば、隣接する案内地点４０３が、所定の距離Ｄ３（ｍ）未満の距離にあるものをいう。また、それぞれの案内地点４０３に対応する案内音を出力する案内音出力地点４０４では、たとえば、車両４００内に「この先の交差点、右方向です」あるいは「この先の交差点、左方向です」などの案内音が出力される。
【００６２】
本図において、ミュート区間４１３は、案内地点４０３からＤ２（ｍ）以内の区間、または、Ｄ３（ｍ）未満で隣接する案内地点４０３間の区間である。Ｄ３（ｍ）未満で隣接する案内地点４０３間では、たとえば、車両４００が案内地点４０３を通過後に、Ｄ２（ｍ）以上走行しても、つぎの案内地点４０３を考慮して、ナビゲーション装置３００は、案内音以外の音声をフェードインさせずにミュートを継続させる。なお、詳細は、図５以降にて説明するが、ナビゲーション装置３００は、Ｄ３（ｍ）未満で隣接する案内地点４０３間でミュートを継続させようとする場合であっても、渋滞などの事情により、つぎの案内地点４０３までの走行時間が十分なものであれば、案内音以外の音声をフェードインさせる構成としてもよい。
【００６３】
（ナビゲーション装置３００の処理の内容）
つぎに、図５を用いて、本実施例にかかるナビゲーション装置３００の処理の内容について説明する。図５は、本実施例にかかるナビゲーション装置の処理の内容を示すフローチャートである。図５のフローチャートにおいて、まず、ナビゲーション装置３００は、経路誘導の指示を受け付けたか否かを判断する（ステップＳ５０１）。経路誘導の指示は、たとえば、ユーザがユーザ操作部３０２を操作して、目的地点４０２など所定の項目を入力しておこなう構成でもよい。
【００６４】
ステップＳ５０１において、経路誘導の指示を受け付けるのを待って、受け付けた場合（ステップＳ５０１：Ｙｅｓ）は、ナビゲーション装置３００は、誘導経路４０５に沿って車両４００の経路誘導を開始して、距離算出部３１３は、つぎの右左折地点までの距離を算出する。なお、本図の説明では、案内地点４０３を右左折地点として説明するが、踏切や施設など案内の起点となる地点としてもよい。
【００６５】
そして、制御部３０１は、距離算出部３１３によって算出された、つぎの右左折地点までの距離がＤ１（ｍ）以下か否かを判断する（ステップＳ５０２）。ここで、つぎの右左折地点までの距離がＤ１（ｍ）以下となるのを待って、Ｄ１（ｍ）以下となった場合（ステップＳ５０２：Ｙｅｓ）は、制御部３０１は、音声出力部３０７を制御して、案内音以外の音声の出力音量をフェードアウト処理する（ステップＳ５０３）。なお、フェードアウト処理の詳細については、図６で後述する。
【００６６】
つぎに、制御部３０１は、車両４００が右左折地点を通過したか否かを判断する（ステップＳ５０４）。右左折地点を通過していない場合（ステップＳ５０４：Ｎｏ）は、ステップＳ５０３に戻って、フェードアウト処理を繰り返す。そして、右左折地点を通過した場合（ステップＳ５０４：Ｙｅｓ）は、つづいて制御部３０１は、つぎの右左折地点までの距離がＤ３（ｍ）以上か否かを判断する（ステップＳ５０５）。なお、本フローチャートでは、車両４００と、つぎの右左折地点までの距離を算出して、Ｄ３（ｍ）以上か否かを判断しているが、車両４００が通過した右左折地点と、つぎに通過する右左折地点との距離を算出して、距離を判断する構成でもよい。
【００６７】
ステップＳ５０５において、つぎの右左折地点までの距離がＤ３（ｍ）以上であった場合（ステップＳ５０５：Ｙｅｓ）は、制御部３０１は、音声出力部３０７を制御して、案内音以外の音声の出力音量をフェードイン処理する（ステップＳ５０６）。なお、フェードイン処理の詳細については、図７で後述する。
【００６８】
つぎに、制御部３０１は、通過した右左折地点からの距離がＤ１（ｍ）以上か否かを判断する（ステップＳ５０７）。通過した右左折地点からの距離がＤ１（ｍ）未満の場合（ステップＳ５０７：Ｎｏ）は、ステップＳ５０６に戻って、フェードイン処理を繰り返す。そして、通過した右左折地点からの距離がＤ１（ｍ）以上となった場合（ステップＳ５０７：Ｙｅｓ）は、制御部３０１は、音声出力部３０７を制御して、案内音以外の音声の出力音量を、あらかじめユーザによって設定された設定音量へ復帰させる（ステップＳ５０８）。そして、一連の処理を終了する。
【００６９】
また、ステップＳ５０５において、つぎの右左折地点までの距離がＤ３（ｍ）未満であった場合（ステップＳ５０５：Ｎｏ）は、制御部３０１は、音声出力部３０７を制御して、案内音以外の音声の出力音量をフェードイン／アウト処理する（ステップＳ５０９）。なお、フェードイン／アウト処理の詳細については、図８で後述する。
【００７０】
そして、制御部３０１は、車両４００が右左折地点を通過したか否かを判断する（ステップＳ５１０）。右左折地点を通過していない場合（ステップＳ５１０：Ｎｏ）は、ステップＳ５０９に戻って、フェードイン／アウト処理を繰り返す。そして、右左折地点を通過した場合（ステップＳ５１０：Ｙｅｓ）は、ステップＳ５０５に戻り、以降の処理を繰り返す。
【００７１】
つづいて、図６を用いて出力音量のフェードアウト処理の内容について説明する。図６は、本実施例にかかる出力音量のフェードアウト処理の一例を示すフローチャートである。図６のフローチャートにおいて、まず、制御部３０１は、距離算出部３１３によって算出された、自車位置と、つぎの右左折地点との距離がＤ２（ｍ）以上か否かを判断する（ステップＳ６０１）。
【００７２】
ステップＳ６０１において、自車位置と、つぎの右左折地点との距離がＤ２（ｍ）未満である場合（ステップＳ６０１：Ｎｏ）は、車両４００はミュート区間４１３を走行しており、制御部３０１は、音声出力部３０７を制御して、案内音以外の音声の出力音量をミュートして（ステップＳ６０２）、一連の処理を終了する。
【００７３】
ステップＳ６０１において、自車位置と、つぎの右左折地点との距離がＤ２（ｍ）以上である場合（ステップＳ６０１：Ｙｅｓ）は、つづいて、制御部３０１は、単位時間あたりの走行距離がしきい値以上か否かを判断する（ステップＳ６０３）。単位時間あたりの走行距離は、たとえば、位置取得部３０４によって取得された車両４００の現在位置の情報に基づいて、距離算出部３１３により、所定の間隔における車両４００の走行距離を算出する構成でもよい。また、しきい値は、たとえば、あらかじめ設定できる構成でもよく、単位時間あたりの走行距離としきい値を比較して、車両４００が渋滞などの理由で、右左折地点までの走行状態を判断できる。
【００７４】
ステップＳ６０３において、単位時間あたりの走行距離がしきい値以上である場合（ステップＳ６０３：Ｙｅｓ）は、制御部３０１は、案内音以外の音声の出力音量がミュートか否かを判断する（ステップＳ６０４）。そして、出力音量がミュートである場合（ステップＳ６０４：Ｙｅｓ）は、そのまま一連の処理を終了する。また、出力音量がミュートでない場合（ステップＳ６０４：Ｎｏ）は、制御部３０１は、音声出力部３０７を制御して、案内音以外の音声の出力音量を減衰させて（ステップＳ６０７）、一連の処理を終了する。出力音量の減衰は、たとえば、一定量減衰させる構成でもよく、ミュート区間４１３に進入するまで、本フローチャートによる処理を連続的に繰り返して、フェードアウト処理する構成でもよい。
【００７５】
ステップＳ６０３において、単位時間あたりの走行距離がしきい値未満である場合（ステップＳ６０３：Ｎｏ）は、制御部３０１は、案内音以外の音声の出力音量が、あらかじめユーザによって設定された設定音量か否かを判断する（ステップＳ６０５）。単位時間あたりの走行距離がしきい値未満である場合（ステップＳ６０３：Ｎｏ）は、たとえば、渋滞などの理由で、フェードアウト区間４１２を車両４００がゆっくり走行する場合で、つぎの右左折地点まで走行時間が十分かかるため、案内音以外の音声の出力音量をフェードアウトさせずに走行する。
【００７６】
ステップＳ６０５において、案内音以外の音声の出力音量が設定音量である場合（ステップＳ６０５：Ｙｅｓ）は、そのまま一連の処理を終了する。また、案内音以外の音声の出力音量が設定音量でない場合（ステップＳ６０５：Ｎｏ）は、制御部３０１は、音声出力部３０７を制御して、案内音以外の音声の出力音量を増大させて（ステップＳ６０６）、一連の処理を終了する。出力音量の増大は、たとえば、一定量増大させる構成でもよく、ミュート区間４１３に進入するまで、本フローチャートによる処理を連続的に繰り返す構成でもよい。
【００７７】
つぎに、図７を用いて出力音量のフェードイン処理の内容について説明する。図７は、本実施例にかかる出力音量のフェードイン処理の一例を示すフローチャートである。図７のフローチャートにおいて、まず、制御部３０１は、案内音以外の音声の出力音量が、あらかじめユーザによって設定された設定音量か否かを判断する（ステップＳ７０１）。
【００７８】
ステップＳ７０１において、案内音以外の音声の出力音量が設定音量であった場合（ステップＳ７０１：Ｙｅｓ）は、そのまま一連の処理を終了する。また、案内音以外の音声の出力音量が設定音量でなかった場合（ステップＳ７０１：Ｎｏ）は、制御部３０１は、距離算出部３１３によって算出された、通過した右左折地点から自車位置までの距離がＤ２（ｍ）以上か否かを判断する（ステップＳ７０２）。
【００７９】
ステップＳ７０２において、通過した右左折地点から自車位置までの距離がＤ２（ｍ）以上である場合（ステップＳ７０２：Ｙｅｓ）は、制御部３０１は、音声出力部３０７を制御して、案内音以外の音声の出力音量を増大させて（ステップＳ７０４）、一連の処理を終了する。出力音量の増大は、たとえば、一定量増大させる構成でもよく、設定音量区間４１１に進入するまで、本フローチャートによる処理を連続的に繰り返す構成でもよい。
【００８０】
ステップＳ７０２において、通過した右左折地点から自車位置までの距離がＤ２（ｍ）未満である場合（ステップＳ７０２：Ｎｏ）は、つづいて、制御部３０１は、単位時間あたりの走行距離がしきい値以上か否かを判断する（ステップＳ７０３）。ここで、単位時間あたりの走行距離がしきい値以上である場合（ステップＳ７０３：Ｙｅｓ）は、たとえば、ミュート区間４１３を渋滞などなく車両４００が走行している場合で、そのまま一連の処理を終了する。
【００８１】
ステップＳ７０３において、単位時間あたりの走行距離がしきい値未満である場合（ステップＳ７０３：Ｎｏ）は、たとえば、渋滞などの理由で、ミュート区間４１３を車両４００がゆっくり走行する場合で、フェードイン区間４１４まで走行時間が十分かかるため、ミュート区間４１３であっても、制御部３０１は、音声出力部３０７を制御して、案内音以外の音声の出力音量を増大させて（ステップＳ７０４）、一連の処理を終了する。
【００８２】
つぎに、図８を用いて出力音量のフェードイン／アウト処理の内容について説明する。図８は、本実施例にかかる出力音量のフェードイン／アウト処理の一例を示すフローチャートである。図８のフローチャートにおいて、まず、制御部３０１は、つぎの右左折地点に接近しているか否かを判断する（ステップＳ８０１）。
【００８３】
ステップＳ８０１において、つぎの右左折地点に接近している場合（ステップＳ８０１：Ｙｅｓ）は、制御部３０１は、音声出力部３０７を制御して、案内音以外の音声の出力音量をミュートして（ステップＳ８０２）、一連の処理を終了する。なお、本フローチャートでは、つぎの右左折地点への接近を判断しているが、つぎの案内音出力地点４０４への接近を判断して、接近した場合に、案内音以外の音声の出力音量をミュートしてもよい。
【００８４】
ステップＳ８０１において、つぎの右左折地点に接近していない場合（ステップＳ８０１：Ｎｏ）は、制御部３０１は、単位時間あたりの走行距離がしきい値以上か否かを判断する（ステップＳ８０３）。ここで、単位時間あたりの走行距離がしきい値以上である場合（ステップＳ８０３：Ｙｅｓ）は、制御部３０１は、案内音以外の音声の出力音量がミュートか否かを判断する（ステップＳ８０４）。そして、出力音量がミュートである場合（ステップＳ８０４：Ｙｅｓ）は、ステップＳ８０１に戻って処理を繰り返す。
【００８５】
ステップＳ８０４において、出力音量がミュートでない場合（ステップＳ８０４：Ｎｏ）は、制御部３０１は、音声出力部３０７を制御して、案内音以外の音声の出力音量を減衰させて（ステップＳ８０５）、ステップＳ８０１に戻って処理を繰り返す。
【００８６】
ステップＳ８０３において、単位時間あたりの走行距離がしきい値未満である場合（ステップＳ８０３：Ｎｏ）は、制御部３０１は、案内音以外の音声の出力音量が、あらかじめユーザによって設定された設定音量か否かを判断する（ステップＳ８０６）。単位時間あたりの走行距離がしきい値未満である場合（ステップＳ８０３：Ｎｏ）は、たとえば、渋滞などの理由で、ミュート区間４１３を車両４００がゆっくり走行する場合で、つぎの右左折地点まで走行時間が十分かかるため、案内音以外の音声の出力音量のミュートを継続させずに走行する。
【００８７】
ステップＳ８０６において、案内音以外の音声の出力音量が設定音量である場合（ステップＳ８０６：Ｙｅｓ）は、ステップＳ８０１に戻って処理を繰り返す。また、案内音以外の音声の出力音量が設定音量でない場合（ステップＳ８０６：Ｎｏ）は、制御部３０１は、音声出力部３０７を制御して、案内音以外の音声の出力音量を増大させて（ステップＳ８０７）、ステップＳ８０１に戻って処理を繰り返す。
【００８８】
以上説明したように、本発明によれば、誘導経路上における案内地点と移動体との距離を算出して、音声出力装置の出力音量を低減させることができる。したがって、誘導経路上に案内地点が連続している場合は、出力音量の低減と復帰を繰り返すことなく、案内音を出力するため、頻繁な音量変化による不快の防止を図ることができる。
【００８９】
また、連続した案内地点で出力音量の低減を継続して案内音を出力するため、ユーザへ適切な注意喚起を促すことができ、安全な走行を図ることができる。また、移動体の移動距離を一定値と比較して、低減させた出力音量を復帰させるように制御できるため、案内地点が連続していても、移動に時間がかかる場合は、ユーザは、音声を視聴することができ、適切な音量制御を図ることができる。
【００９０】
以上説明したように、本ナビゲーション装置３００によれば、案内地点４０３が連続している場合は、案内音以外の音声の出力音量のミュートあるいは出力を頻繁に繰り返さずに、案内音を出力するため、頻繁な音量変化によるユーザへの不快感を与えることがなくなる。
【００９１】
また、連続した案内地点４０３において、ミュートを継続することで、運転者は、的確に周囲の状況を確認することができ、安全運転を図ることができる。そして、フェードイン処理あるいはフェードアウト処理をおこなうため、案内音以外の音声の出力音量に対して、急峻な音量変化を伴わずにミュートとすることができる。したがって、運転者は不意をつかれることなく、運転を図ることができる。
【００９２】
また、案内音出力地点４０４において、案内音以外の音声の出力音量をミュートさせるため、車両４００の運転者は案内音を的確に把握することができる。したがって、確実な誘導経路４０５に沿って、目的地点４０２までの到達を図ることができる。
【００９３】
また、ミュート区間４１３であっても、走行距離から渋滞中かを判断して、ミュートを解除できるため、無駄に長時間ミュートすることなく、案内音以外の音声の提供を図ることができる。
【００９４】
なお、本実施例では、案内音以外の音声の出力音量をミュートさせているが、ミュートさせなくても、運転者などが案内音を確認できる程度であればよく、所定の音量レベルまで減衰させる構成でもよい。所定の音量レベルとすることで、運転者は案内音の確認ができるとともに、搭乗者は、案内音出力地点４０４であっても案内音以外の音声の視聴を図ることできる。
【００９５】
また、案内音以外の音声の出力音量をミュートさせる場合、図示しないメモリなどにミュート箇所を記憶して、ミュート箇所の続きから復帰させる構成でもよい。ミュート箇所の続きから復帰させることで、搭乗者は、案内音以外の音声について、欠落部分なく視聴を図ることができる。
【００９６】
また、本実施例では、案内音以外の音声の出力音量のフェードイン処理あるいはフェードアウト処理をおこなう構成としているが、一気にミュートさせる構成でもよい。一気にミュートさせることで、案内音出力地点４０４近傍まで案内音以外の音声を出力でき、搭乗者は、より長時間の案内音以外の音声の視聴を図ることができる。
【００９７】
なお、本実施の形態で説明した音量制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００９８】
１００  音量制御装置
１０１  位置検出部
１０２  地点検出部
１０３  距離算出部
１０４  出力音量制御部
【図１】
0004572238.tif 000002
【図２】
0004572238.tif 000003
【図３】
0004572238.tif 000004
【図４−１】
0004572238.tif 000005
【図４−２】
0004572238.tif 000006
【図５】
0004572238.tif 000007
【図６】
0004572238.tif 000008
【図７】
0004572238.tif 000009
【図８】
0004572238.tif 000010